(57)【要約】【課題】上葺折板屋根と下葺折板屋根との間に断熱材が配置されてなる二重折板屋根構造において、その断熱材に結露現象が発生してしまうのを効果的に抑制可能とする。【解決手段】所要方向に延びる上葺および下葺折板屋根２２、２４の間に位置する内部空間２６に、上記所要方向に延びるパイプ４０が、その端部においてパイプ内空間４０ｂを二重折板屋根構造２０の外部空間に連通させた状態で配置された構成とする。その際、パイプ４０は、その周壁部４０ａに形成された複数の小孔４０ａ１によって通気性が付与されたパイプとして構成する。これにより、内部空間２６に含まれている水分を、結露する前の水蒸気の状態で、パイプ４０の周壁部４０ａに形成された複数の小孔４０ａ１を介してパイプ内空間４０ｂに導いて、このパイプ内空間４０ｂを上記所要方向に搬送し、その端部から外部空間へ排出するようにする。【選択図】図３
2019007251.tif 000002
【特許請求の範囲】
【請求項１】
台形波状の断面形状で所要方向に延びる上葺折板屋根と、この上葺折板屋根の下方において台形波状の断面形状で上記所要方向に延びる下葺折板屋根と、これら上葺および下葺折板屋根の間に位置する内部空間に配置された断熱材と、を備えてなる二重折板屋根構造において、
上記内部空間に、上記所要方向に延びるパイプが、該パイプの端部においてパイプ内空間を二重折板屋根構造の外部空間に連通させた状態で配置されており、
上記パイプは、該パイプの周壁部に通気性が付与されている、ことを特徴とする二重折板屋根構造。
【請求項２】
上記内部空間を上記所要方向の端部において塞ぐように配置された面戸を備えており、
上記面戸に、該面戸を上記所要方向に貫通する貫通孔が形成されており、
上記パイプは、該パイプの端部において上記パイプ内空間を上記貫通孔に連通させた状態で配置されている、ことを特徴とする請求項１記載の二重折板屋根構造。
【請求項３】
上記パイプは、上記断熱材と上記上葺折板屋根との間に配置されている、ことを特徴とする請求項１または２記載の二重折板屋根構造。
【請求項４】
上記パイプは、上記上葺折板屋根の下底面部の下方に配置されている、ことを特徴とする請求項３記載の二重折板屋根構造。
【請求項５】
上記パイプは、可撓性を有する部材で構成されている、ことを特徴とする請求項１〜４いずれか記載の二重折板屋根構造。
【請求項６】
上記パイプは、多孔質部材で構成されている、ことを特徴とする請求項１〜５いずれか記載の二重折板屋根構造。
【発明の詳細な説明】
【技術分野】
【０００１】
本願発明は、上葺折板屋根と下葺折板屋根との間に断熱材が配置されてなる二重折板屋根構造に関するものである。
【背景技術】
【０００２】
従来より、折板屋根の構造として、台形波状の断面形状で所要方向に延びる上葺折板屋根と、その下方において台形波状の断面形状で上記所要方向に延びる下葺折板屋根とを備えた二重折板屋根構造が知られている。
【０００３】
「特許文献１」には、このような二重折板屋根構造において、上葺折板屋根と下葺折板屋根との間にグラスウール等の断熱材が配置されたものが記載されている。
【先行技術文献】
【特許文献】
【０００４】
【特許文献１】特開２００５−２７３４４８号公報
【発明の概要】
【発明が解決しようとする課題】
【０００５】
二重折板屋根構造として断熱材を備えた構成とすることにより、その断熱性能を高めることが可能となる。
【０００６】
しかしながら、このような二重折板屋根構造を備えた建屋において、上葺および下葺折板屋根の間に位置する内部空間が、屋内空間あるいは屋外空間の温度環境の影響によって著しく冷やされたような場合には、その内部空間に含まれる水蒸気が凝縮し水滴となって断熱材に付着しやすくなる。そして、このような結露現象が発生すると断熱材の断熱性能が低下してしまうこととなる。
【０００７】
本願発明は、このような事情に鑑みてなされたものであって、上葺折板屋根と下葺折板屋根との間に断熱材が配置されてなる二重折板屋根構造において、その断熱材に結露現象が発生してしまうのを効果的に抑制することができる二重折板屋根構造を提供することを目的とするものである。
【課題を解決するための手段】
【０００８】
本願発明は、上葺および下葺折板屋根の間に位置する内部空間に所定のパイプが配置された構成とすることにより、上記目的達成を図るようにしたものである。
【０００９】
すなわち、本願発明に係る二重折板屋根構造は、
台形波状の断面形状で所要方向に延びる上葺折板屋根と、この上葺折板屋根の下方において台形波状の断面形状で上記所要方向に延びる下葺折板屋根と、これら上葺および下葺折板屋根の間に位置する内部空間に配置された断熱材と、を備えてなる二重折板屋根構造において、
上記内部空間に、上記所要方向に延びるパイプが、該パイプの端部においてパイプ内空間を二重折板屋根構造の外部空間に連通させた状態で配置されており、
上記パイプは、該パイプの周壁部に通気性が付与されている、ことを特徴とするものである。
【００１０】
上記「断熱材」の具体的な形状や種類等は特に限定されるものではなく、例えばグラスウールやロックウール等が採用可能である。
【００１１】
上記「パイプ」の設置本数は１本であってもよいし複数本であってもよい。
【００１２】
上記「パイプ」の断面形状は特に限定されるものではなく、例えば円形や矩形の断面形状が採用可能である。
【００１３】
上記「パイプ」は、上記所要方向に延びていれば、必ずしも上葺および下葺折板屋根の全長にわたって延びていなくてもよい。
【００１４】
上記「パイプ」は、そのパイプ内空間が二重折板屋根構造の外部空間に対して上記所要方向の両端部において連通していてもよいし、いずれか一方の端部においてのみ連通していてもよい。
【００１５】
上記「パイプ」は、その周壁部に通気性が付与されているが、これを実現するための具体的な構成については特に限定されるものではなく、例えば、パイプの周壁部の複数箇所に小孔が形成された構成、多孔質部材からなる構成、コイルバネ状に形成された構成等が採用可能である。
【発明の効果】
【００１６】
本願発明に係る二重折板屋根構造は、所要方向に延びる上葺および下葺折板屋根の間に位置する内部空間に断熱材が配置された構成となっているので、その断熱性能を高めることができるが、上記内部空間には上記所要方向に延びるパイプがその端部においてパイプ内空間を二重折板屋根構造の外部空間に連通させた状態で配置されており、そして、このパイプの周壁部には通気性が付与されているので、次のような作用効果を得ることができる。
【００１７】
すなわち一般に、二重折板屋根構造においては、その施工時に内部空間に湿気が封じ込められたり、その後、内部空間と屋内空間あるいは屋外空間との水蒸気量の差によって内部空間に湿気が侵入することによって、ある程度の水分が内部空間に含まれた状態となっている。したがって、この内部空間が屋内空間あるいは屋外空間の温度環境の影響によって著しく冷やされたような場合には、この内部空間に含まれている水分によって断熱材に結露現象が発生してしまうこととなる。
【００１８】
その点、本願発明においては、二重折板屋根構造の内部空間にパイプが配置されているので、この内部空間に含まれている水分を、結露する前の水蒸気の状態でパイプの周壁部を介してパイプ内空間に導いて、このパイプ内空間を上記所要方向に搬送し、その端部から外部空間へ排出することができる。したがって、この内部空間が著しく冷やされたような場合であっても、断熱材に結露現象が発生してしまうのを未然に防止することが可能となる。
【００１９】
このように本願発明によれば、上葺折板屋根と下葺折板屋根との間に断熱材が配置されてなる二重折板屋根構造において、その断熱材に結露現象が発生してしまうのを効果的に抑制することができる。
【００２０】
そしてこれにより、断熱材の断熱性能が低下してしまうのを効果的に抑制することが可能となり、また、二重折板屋根構造を構成している鋼材に錆が発生してしまうのを効果的に抑制することができる。
【００２１】
しかも本願発明に係る二重折板屋根構造のように、上記所要方向に延びるパイプが内部空間に配置された構成とすることにより、二重折板屋根構造として上葺および下葺折板屋根が上記所要方向に長く延びている場合であっても、その内部空間に含まれている水分を水蒸気の状態で外部空間へ確実に排出することができる。
【００２２】
すなわち仮に、二重折板屋根構造の内部空間に含まれている水分を水蒸気の状態で、内部空間において断熱材と上葺および下葺折板屋根との間に形成される僅かな隙間を利用して上記所要方向に導こうとしても、この隙間は上記所要方向に連続して形成された状態となるとは限らない。したがって本願発明のように、上記所要方向に延びるパイプが内部空間に配置された構成とすることが、内部空間に含まれている水分を水蒸気の状態で外部空間へ確実に排出する上で効果的である。
【００２３】
上記構成において、二重折板屋根構造として、内部空間を上記所要方向の端部において塞ぐように配置された面戸を備えた構成とすれば、湿気を内部空間に侵入させにくくすることができる。その際、この面戸の構成として上記所要方向に貫通する貫通孔が形成された構成とした上で、上記パイプがその端部においてパイプ内空間をこの貫通孔に連通させた状態で配置された構成とすれば、内部空間に含まれている水分を水蒸気の状態でパイプ内空間および貫通孔を介して外部空間へ排出することができる。
【００２４】
その際、上記「パイプ内空間」と貫通孔との具体的な連通構造については特に限定されるものではなく、例えば、パイプの端面が貫通孔の周囲において面戸に当接することにより連通する構造、パイプの端部が面戸の貫通孔に挿入されることにより連通する構造、断熱材と面戸との間に形成される空隙を介して貫通孔とパイプ内空間とが連通する構造等が採用可能である。
【００２５】
上記「面戸」は、上記所要方向の両端部に配置されていてもよいし、いずれか一方の端部にのみ配置されていてもよいが、その両端部に面戸が配置された構成とすれば、湿気を内部空間に一層侵入させにくくすることができる。その際、各面戸に上記貫通孔が形成された構成とした上で、パイプ内空間が各貫通孔に連通する構成とすれば、パイプの両端部においてパイプ内空間が外部空間に連通することとなるので、その通気性を高めることができ、これにより湿気排出効率を一層高めることができる。
【００２６】
上記構成において、上記パイプが、断熱材と上葺折板屋根との間に配置された構成とすれば、次のような作用効果を得ることができる。
【００２７】
すなわち、上葺折板屋根は日照等によって比較的高温になるので、上記内部空間は上葺折板屋根の下方領域の温度変化が急激なものとなる。したがって、断熱材と上葺折板屋根との間にパイプが配置された構成とすることにより湿気排出効率を高めることができる。
【００２８】
その際、パイプが上葺折板屋根の下底面部の下方に配置された構成とすれば、次のような作用効果を得ることができる。
【００２９】
すなわち、二重折板屋根構造を施工する際、下葺折板屋根に載置された断熱材は、下葺折板屋根に沿って台形波状の凹凸形状を有するものとなり、その上葺折板屋根の下底面部の下方に位置する部分は凹凸形状の谷となる。したがって、この断熱材の上面にパイプを載せるだけの簡単な作業でパイプの設置を行うことができる。
【００３０】
上記構成において、パイプが可撓性を有する部材で構成されたものとすれば、二重折板屋根構造を施工する際、パイプの取扱いが容易となり、その設置作業を容易に行うことができる。
【００３１】
上記構成において、パイプが多孔質部材で構成されたものとすれば、二重折板屋根構造の内部空間に含まれている水分を水蒸気の状態でパイプの周壁部の全領域を介してパイプ内空間に効率良く導くことができ、これにより湿気排出効率を一層高めることができる。
【図面の簡単な説明】
【００３２】
【図１】本願発明の一実施形態に係る二重折板屋根構造を備えた建屋を示す側断面図
【図２】上記二重折板屋根構造を図１のII方向から見た状態で示す部分断面詳細図
【図３】図１のIII 部詳細図
【図４】上記実施形態の作用を示す、図２と略同様の図
【図５】上記実施形態の第１変形例を示す、図３と同様の図
【図６】上記実施形態の第２変形例を示す、図３と同様の図
【図７】上記実施形態の第３変形例を示す、図３と同様の図
【図８】上記実施形態の第４変形例を示す、図３と略同様の図
【図９】上記実施形態の第５変形例を示す、図１と同様の図
【図１０】上記実施形態の第６変形例を示す、図１と同様の図
【発明を実施するための形態】
【００３３】
以下、図面を用いて、本願発明の実施の形態について説明する。
【００３４】
図１は、本願発明の一実施形態に係る二重折板屋根構造２０を備えた建屋１０を示す側断面図である。また、図２は、その二重折板屋根構造２０を図１のII方向から見た状態で示す部分断面詳細図である。
【００３５】
これらの図に示すように、本実施形態に係る二重折板屋根構造２０は、建屋１０の外壁１４の上端部に設置された状態で、その屋内空間１２を覆う片流れ屋根に適用されている。
【００３６】
本実施形態の建屋１０は、例えば工場や倉庫等の用途に使用され、その屋内空間１２は屋外空間に比して高温多湿になりやすい環境下に置かれる構成となっている。
【００３７】
二重折板屋根構造２０は、台形波状の断面形状で所要方向（具体的には水平方向に対して多少傾斜した方向）に延びる上葺折板屋根２２と、この上葺折板屋根の下方において台形波状の断面形状で上記所要方向に延びる下葺折板屋根２４と、これら上葺および下葺折板屋根２２、２４の間に位置する内部空間２６に配置された断熱材２８とを備えた構成となっている。
【００３８】
上葺および下葺折板屋根２２、２４は、いずれも同様の構成を有するハゼ式折板屋根であって、上下方向に一定の間隔をおいて（すなわち上記所要方向と直交する水平方向に関して上葺折板屋根２２の上底面部２２ａおよび下底面部２２ｂの位置と下葺折板屋根２４の上底面部２４ａおよび下底面部２４ｂの位置とを一致させた状態で）配置されている。
【００３９】
下葺折板屋根２４は、建屋１０の外壁１４の上端部において上記所要方向と直交する水平方向に梁状に配置された複数の構造材３０にタイトフレーム３２を介して支持されている。
【００４０】
二重折板屋根構造２０の内部空間２６には、上葺および下葺折板屋根２２、２４の各上底面部２２ａ、２４ａ毎に、複数の断熱金具３４が上記所要方向に一定の間隔をおいて配置されている。各断熱金具３４は、その上端部が上葺折板屋根２２の上底面部２２ａから上方に突出する吊子２２ｃの部分において上葺折板屋根２２に固定されるとともに、その下端部が下葺折板屋根２４の上底面部２４ａから上方に突出する吊子２４ｃの部分において下葺折板屋根２４およびタイトフレーム３２に固定されている。そして、これら複数の断熱金具３４によって、上葺および下葺折板屋根２２、２４は、両者間の断熱が図られた状態で上下方向に一定の間隔をおいて配置されるようになっている。
【００４１】
二重折板屋根構造２０の内部空間２６に配置された断熱材２８は、上記所要方向と直交する方向に帯状に延びるグラスウールで構成されている。この断熱材２８は、内部空間２６において断熱金具３４の設置箇所を除く略全領域に充填されるようにして配置されている。
【００４２】
図３は、図１のIII 部詳細図である。
【００４３】
同図にも示すように、二重折板屋根構造２０において上記所要方向に関して水下側に位置する端部には、その内部空間２６を塞ぐ面戸３６が配置されている。その際、この面戸３６は、上葺および下葺折板屋根２２、２４の水下側の端縁位置から水上側に多少変位した位置に配置されている。
【００４４】
この面戸３６には、上葺折板屋根２２の各下底面部２２ｂの位置毎に、該面戸３６を上記所要方向に貫通する１対の貫通孔３６ａが水平方向に間隔をおいて形成されている。その際、これら１対の貫通孔３６ａは、上葺折板屋根２２の下底面部２２ｂの下方近傍に位置する部分に形成されている。そして、この面戸３６には、各貫通孔３６ａの外周縁に沿って内部空間２６側（すなわち水上側）へ向けて突出するボス部３６ｂが形成されている。
【００４５】
一方、二重折板屋根構造２０における水上側の端部にも、その内部空間２６を塞ぐ面戸３６が配置されている。この面戸３６は、上葺および下葺折板屋根２２、２４の水上側の端縁位置から水下側に多少変位した位置に配置されており、水下側の面戸３６と同様の構成を有している。
【００４６】
二重折板屋根構造２０の内部空間２６には、上記所要方向に延びる複数のパイプ４０が配置されている。
【００４７】
これら複数のパイプ４０は、上葺折板屋根２２の各下底面部２２ｂの位置毎に２本ずつ配置されている。その際、各パイプ４０は、上葺折板屋根２２の下底面部２２ｂの下方近傍において断熱材２８の上面に載置されている。
【００４８】
各パイプ４０は、可撓性を有する軟質樹脂製（例えば軟質塩化ビニール製）の部材であって、円筒状に形成されている。各パイプ４０の周壁部４０ａには、該周壁部４０ａを径方向に貫通する複数の小孔４０ａ１が、上記所要方向に略一定の間隔をおいて周方向の複数箇所に形成されている。これにより各パイプ４０は、その周壁部４０ａに通気性が付与された構成となっている。
【００４９】
各パイプ４０の両端部は、水上側および水下側の面戸３６に形成された各ボス部３６ｂに嵌め込まれており、これにより各パイプ４０は、そのパイプ内空間４０ｂが各貫通孔３６ａと直接連通するようになっている。
【００５０】
図４は、本実施形態に係る二重折板屋根構造２０の施工手順を示す、図２と同様の図である。
【００５１】
まず、図４（ａ）に示すように、タイトフレーム３２を介して構造材３０に固定支持された下葺折板屋根２４に断熱材２８を載置する。その際、この断熱材２８は、図１に示すように、上記所要方向に複数枚並べるようにして下葺折板屋根２４に載置する。
【００５２】
次に、図４（ｂ）に示すように、下葺折板屋根２４に載置された断熱材２８に対して、その凹凸形状の谷になっている部分（すなわち下葺折板屋根２４の下底面部２４ｂの上方に位置する部分）に２本のパイプ４０を並列に載置する。そして、各パイプ４０の両端部を、水上側および水下側の面戸３６のボス部３６ｂに嵌め込むことにより、パイプ内空間４０ｂを各貫通孔３６ａに連通させる。
【００５３】
次に、図４（ｂ）に示すように、断熱材２８が載置されるとともに２本のパイプ４０が載置された下葺折板屋根２４に対して、上葺折板屋根２２を上下方向に間隔をおいて固定する。その際、断熱材２８の上面に載置された各パイプ４０は、上葺折板屋根２２の下底面部２２ｂからの下方押圧力によって断熱材２８を多少変形させた状態で配置される。
【００５４】
次に、本実施形態の作用効果について説明する。
【００５５】
本実施形態に係る二重折板屋根構造２０は、所要方向に延びる上葺および下葺折板屋根２２、２４の間に位置する内部空間２６に断熱材２８が配置された構成となっているので、その断熱性能を高めることができるが、内部空間２６には上記所要方向に延びるパイプ４０がその両端部においてパイプ内空間４０ｂを二重折板屋根構造２０の外部空間（本実施形態においては建屋１０の屋外空間）に連通させた状態で配置されており、そして、このパイプ４０の周壁部４０ａには複数の小孔４０ａ１の形成によって通気性が付与されているので、次のような作用効果を得ることができる。
【００５６】
すなわち本実施形態においては、二重折板屋根構造２０の内部空間２６にパイプ４０が配置されているので、この内部空間２６に含まれている水分を、結露する前の水蒸気の状態でパイプ４０の周壁部４０ａに形成された複数の小孔４０ａ１を介してパイプ内空間４０ｂに導いて、このパイプ内空間４０ｂを上記所要方向に搬送し、その両端部から外部空間へ排出することができる。
【００５７】
したがって、二重折板屋根構造２０の内部空間２６が、建屋１０の屋内空間１２あるいは屋外空間の温度環境の影響によって著しく冷やされたような場合であっても、これにより断熱材２８に結露現象が発生してしまうのを未然に防止することが可能となる。
【００５８】
このように本実施形態によれば、上葺折板屋根２２と下葺折板屋根２４との間に断熱材２８が配置されてなる二重折板屋根構造２０において、その断熱材２８に結露現象が発生してしまうのを効果的に抑制することができる。
【００５９】
そしてこれにより、断熱材２８の断熱性能が低下してしまうのを効果的に抑制することが可能となり、また、二重折板屋根構造２０を構成している断熱金具３４等の鋼材部分に錆が発生してしまうのを効果的に抑制することができる。
【００６０】
しかも本実施形態に係る二重折板屋根構造２０のように、上記所要方向に延びるパイプ４０が内部空間２６に配置された構成とすることにより、二重折板屋根構造２０として上葺および下葺折板屋根２２、２４が上記所要方向に長く延びている場合であっても、その内部空間２６に含まれている水分を水蒸気の状態で外部空間へ確実に排出することができる。
【００６１】
すなわち仮に、二重折板屋根構造２０の内部空間２６に含まれている水分を水蒸気の状態で、内部空間２６において断熱材２８と上葺および下葺折板屋根２２、２４との間に形成される僅かな隙間を利用して上記所要方向に導こうとしても、その隙間は上記所要方向に連続して形成された状態となるとは限らない。したがって本実施形態のように、上記所要方向に延びるパイプ４０が内部空間２６に配置された構成とすることが、内部空間２６に含まれている水分を水蒸気の状態で外部空間へ確実に排出する上で効果的である。
【００６２】
特に、本実施形態のように断熱材２８がグラスウールで構成されている場合には、上記所要方向に延びるパイプ４０が内部空間２６に配置された構成とすることが極めて効果的である。
【００６３】
すなわち、断熱材２８がグラスウールで構成されている場合には、二重折板屋根構造２０を施工する際、一定サイズのグラスウールを薄い樹脂製の袋（例えばポリエチレン製の袋）に収容した状態で下葺折板屋根２４に載置した後、断熱金具３４を貫通させるために樹脂製の袋を破いてグラスウールを露出させるようにして配置するのが一般的である。その際、この断熱材２８が図１に示すように上記所要方向に複数枚並べるようにして配置されることは上述したとおりであるが、このとき断熱材２８相互間に樹脂製の袋の切れ端等が残ってしまうことがある。そして、このような場合には、仮に、二重折板屋根構造２０の内部空間２６に含まれている水分を水蒸気の状態で、断熱材２８と上葺および下葺折板屋根２２、２４との間の隙間を利用して上記所要方向に導こうとしても、樹脂製の袋の切れ端等によって隙間が遮断されてしまうので、これを上記所要方向に導くことができなくなってしまう。したがって、本実施形態のように上記所要方向に延びるパイプ４０が内部空間２６に配置された構成とすることが、内部空間２６に含まれている水分を水蒸気の状態で外部空間へ確実に排出する上で極めて効果的である。
【００６４】
本実施形態に係る二重折板屋根構造２０は、その内部空間２６を上記所要方向の両端部において塞ぐように配置された面戸３６を備えているので、湿気を内部空間２６に侵入させにくくすることができる。その際、各面戸３６には、上記所要方向に貫通する貫通孔３６ａが形成されており、パイプ４０がその各端部においてパイプ内空間４０ｂを各貫通孔３６ａに連通させた状態で配置されているので、内部空間２６に含まれている水分を水蒸気の状態でパイプ内空間４０ｂおよび各貫通孔３６ａを介して外部空間へ効率良く排出することができる。
【００６５】
また、本実施形態に係る二重折板屋根構造２０においては、パイプ４０が断熱材２８と上葺折板屋根２２との間に配置されているので、次のような作用効果を得ることができる。
【００６６】
すなわち、上葺折板屋根２２は日照等によって比較的高温になるので、内部空間２６は上葺折板屋根２２の下方領域の温度変化が急激なものとなる。したがって、断熱材２８と上葺折板屋根２２との間にパイプ４０が配置された構成とすることにより湿気排出効率を高めることができる。
【００６７】
その際、本実施形態においては、パイプ４０が上葺折板屋根２２の下底面部２２ｂの下方に配置されているので、次のような作用効果を得ることができる。
【００６８】
すなわち、二重折板屋根構造２０を施工する際、下葺折板屋根２４に載置された断熱材２８は、下葺折板屋根２４に沿って台形波状の凹凸形状を有するものとなり、その上葺折板屋根２２の下底面部２２ｂの下方に位置する部分は凹凸形状の谷となる。したがって、この断熱材２８の上面にパイプ４０を載せるだけの簡単な作業でパイプ４０の設置を行うことができる。
【００６９】
また本実施形態においては、各パイプ４０の両端部が内部空間２６における上記所要方向の両端部に配置された面戸３６のボス部３６ｂに嵌め込まれており、これにより各パイプ４０のパイプ内空間４０ｂは各貫通孔３６ａに直接連通しているので、内部空間２６に含まれている水分を水蒸気の状態で、パイプ４０のパイプ内空間４０ｂおよび両面戸３６の貫通孔３６ａを介して外部空間へ効率良く排出することができる。
【００７０】
さらに本実施形態においては、パイプ４０が可撓性を有する部材で構成されているので、二重折板屋根構造２０を施工する際、その取扱いを容易に行うことができ、また、各パイプ４０の両端部を両面戸３６のボス部３６ｂに嵌め込む作業も容易に行うことができる。
【００７１】
上記実施形態においては、パイプ４０が上葺折板屋根２２の下底面部２２ｂの下方に配置されているものとして説明したが、上葺折板屋根２２の上底面部２２ａの下方に配置された構成や、上葺折板屋根２２の傾斜面部の下方に配置された構成とすることも可能である。
【００７２】
上記実施形態においては、パイプ４０が断熱材２８と上葺折板屋根２２との間に配置されているものとして説明したが、断熱材２８と下葺折板屋根２４との間にパイプ４０が配置された構成や、断熱材２８を上下２層に配置した上でその間にパイプ４０が配置された構成とすることも可能である。
【００７３】
上記実施形態においては、上記所要方向が水平方向に対して多少傾斜した方向に設定されているものとして説明したが、上記所要方向が水平方向に設定された構成とすることも可能である。
【００７４】
次に、上記実施形態の変形例について説明する。
【００７５】
まず、上記実施形態の第１変形例について説明する。
【００７６】
図５は、本変形例に係る二重折板屋根構造１２０の要部を示す、図３と同様の図である。
【００７７】
同図に示すように、本変形例に係る二重折板屋根構造１２０の基本的な構成は上記実施形態の場合と同様であるが、パイプ１４０および面戸１３６の構成が上記実施形態の場合と異なっている。
【００７８】
すなわち、本変形例の面戸１３６には、上記実施形態の面戸３６のようなボス部３６ｂは形成されておらず、代わりに面戸１３６の上端部以外にも貫通孔１３６ａが形成されている。
【００７９】
また、本変形例のパイプ１４０も、二重折板屋根構造１２０の内部空間１２６において上記所要方向に延びるように配置されており、その周壁部１４０ａには複数の小孔１４０ａ１が形成されているが、その端部は面戸１３６と接触しておらず、その近傍において開口している。
【００８０】
すなわち本変形例においては、パイプ１４０のパイプ内空間１４０ｂが、断熱材２８と面戸１３６との間に形成される空隙１２６ａを介して複数の貫通孔１３６ａに連通するようになっている。
【００８１】
本変形例の構成を採用した場合においても、二重折板屋根構造１２０の内部空間１２６に含まれている水分を、結露する前の水蒸気の状態で、パイプ１４０の周壁部１４０ａに形成された複数の小孔１４０ａ１を介してパイプ内空間１４０ｂに導いて、このパイプ内空間１４０ｂを上記所要方向に搬送し、その端部が連通している面戸３６の貫通孔３６ａから二重折板屋根構造１２０の外部空間へ排出することができる。
【００８２】
したがって、二重折板屋根構造１２０の内部空間１２６が著しく冷やされたような場合であっても、内部空間１２６に含まれている水分によって断熱材２８に結露現象が発生してしまうのを未然に防止することが可能となり、これにより断熱材２８の断熱性能が低下してしまうのを未然に防止することが可能となる。
【００８３】
しかも本変形例においては、パイプ１４０の端部を上記実施形態の場合のように面戸３６のボス部３６ｂに嵌め込む作業が不要となるので、パイプ１４０の設置作業を極めて容易に行うことができる。
【００８４】
上記第１変形例においては、パイプ１４０が可撓性を有する部材で構成されているものとして説明したが、パイプ１４０として可撓性を有しない部材（例えば鋼管や硬質塩化ビニル管等）を用いることも可能である。
【００８５】
次に、上記実施形態の第２変形例について説明する。
【００８６】
図６は、本変形例に係る二重折板屋根構造２２０の要部を示す、図３と同様の図である。
【００８７】
同図に示すように、本変形例に係る二重折板屋根構造２２０の基本的な構成は上記実施形態の場合と同様であるが、パイプ２４０の構成が上記実施形態の場合と異なっている。
【００８８】
すなわち、本変形例のパイプ２４０は、可撓性を有する多孔質部材で構成されている。具体的には、このパイプ２４０は、そのパイプ内空間２４０ｂに水を通すとその周壁部２４０ａから水がしみ出す性質を有するゴム製の多孔質部材で構成されている。
【００８９】
そして、このパイプ２４０は、上記実施形態の場合と同様、二重折板屋根構造２２０の内部空間２２６において上記所要方向に延びるように配置されており、その端部において面戸３６のボス部３６ｂに嵌め込まれているが、その周壁部２４０ａには上記実施形態のパイプ４０のような複数の小孔４０ａ１は形成されていない。
【００９０】
本変形例の構成を採用した場合においても、二重折板屋根構造２２０の内部空間２２６に含まれている水分を、結露する前の水蒸気の状態で、パイプ２４０の周壁部２４０ａを介してパイプ内空間２４０ｂに導いて、このパイプ内空間２４０ｂを上記所要方向に搬送し、その端部が連通している面戸３６の貫通孔３６ａから二重折板屋根構造２２０の外部空間へ排出することができる。
【００９１】
したがって、二重折板屋根構造２２０の内部空間２２６が著しく冷やされたような場合であっても、内部空間２２６に含まれている水分によって断熱材２８に結露現象が発生してしまうのを未然に防止することが可能となり、これにより断熱材２８の断熱性能が低下してしまうのを未然に防止することが可能となる。
【００９２】
しかも本変形例においては、各パイプ２４０が多孔質部材で構成されているので、内部空間２２６に含まれている水分を、その周壁部２４０ａの全領域においてパイプ内空間２４０ｂに導くことができる。したがって、内部空間２２６に含まれている水分を、面戸３６の貫通孔３６ａを介して外部空間へ効率良く排出することができる。
【００９３】
次に、上記実施形態の第３変形例について説明する。
【００９４】
図７は、本変形例に係る二重折板屋根構造３２０の要部を示す、図３と同様の図である。
【００９５】
同図に示すように、本変形例に係る二重折板屋根構造３２０の基本的な構成は上記実施形態の場合と同様であるが、パイプ３４０の構成が上記実施形態の場合と異なっている。
【００９６】
すなわち、本変形例のパイプ３４０は、透湿性を有する複数の短尺パイプ３４２が直列に連結されることによって構成されている。
【００９７】
具体的には、各短尺パイプ３４２は、紙製パイプとして構成されており、その一端部が小径部３４２ａとして構成されている。そして、各短尺パイプ３４２は、その小径部３４２ａが他の短尺パイプ３４２の他端部に挿入されることによって互いに連結されるようになっている。
【００９８】
そして、このパイプ３４０は、上記実施形態の場合と同様、二重折板屋根構造３２０の内部空間３２６において上記所要方向に延びるように配置されており、その一端部において面戸３６のボス部３６ｂに嵌め込まれている。なお、このパイプ３４０の他端部（すなわち水上側の端部）については、面戸３６のボス部３６ｂに嵌め込まれる構成としてもよいし、しなくてもよい。
【００９９】
本変形例の構成を採用した場合においても、二重折板屋根構造３２０の内部空間３２６に含まれている水分を、結露する前の水蒸気の状態で、パイプ３４０の周壁部３４０ａを介してパイプ内空間３４０ｂに導いて、このパイプ内空間３４０ｂを上記所要方向に搬送し、その端部が連通している面戸３６の貫通孔３６ａから二重折板屋根構造３２０の外部空間へ排出することができる。
【０１００】
したがって、二重折板屋根構造３２０の内部空間３２６が著しく冷やされたような場合であっても、内部空間３２６に含まれている水分によって断熱材２８に結露現象が発生してしまうのを未然に防止することが可能となり、これにより断熱材２８の断熱性能が低下してしまうのを未然に防止することが可能となる。
【０１０１】
しかも本変形例においては、各パイプ３４０が複数の紙製の短尺パイプ３４２が直列に連結されることによって構成されているので、各パイプ３４０を安価に構成することができる。
【０１０２】
次に、上記実施形態の第４変形例について説明する。
【０１０３】
図８は、本変形例に係る二重折板屋根構造４２０の要部を示す、図３と略同様の図である。
【０１０４】
同図に示すように、本変形例に係る二重折板屋根構造４２０を備えた建屋４１０は、氷温倉庫等の用途に使用され、その屋内空間４１２は屋外空間に比して低温低湿になりやすい環境下に置かれる構成となっている。
【０１０５】
本変形例に係る二重折板屋根構造４２０の基本的な構成は上記実施形態の場合と同様であるが、パイプ４４０および面戸４３６の構成が上記実施形態の場合と異なっており、また外部パイプ４５０が追加配置されている点でも上記実施形態の場合と異なっている。
【０１０６】
すなわち、本変形例の面戸４３６は、その上端部寄りの位置に貫通孔４３６ａが形成されているが、この面戸４３６には、貫通孔４３６ａの外周縁に沿って水下側（すなわち外部空間側）へ向けて突出するボス部４３６ｂが形成されている。
【０１０７】
また、本変形例のパイプ４４０も、二重折板屋根構造４２０の内部空間４２６において上記所要方向に延びるように配置されており、その周壁部４４０ａには複数の小孔４４０ａ１が形成されているが、その端部は面戸４３６と接触しておらず、その近傍において開口している。
【０１０８】
すなわち、本変形例においては、パイプ４４０のパイプ内空間４４０ｂが、断熱材２８と面戸４３６との間に形成される空隙４２６ａを介して貫通孔４３６ａに連通するようになっている。
【０１０９】
外部パイプ４５０は、その一端部が面戸４３６のボス部４３６ｂに対して外部空間側から連結されており、その他端部が建屋４１０の外壁４１４を貫通して屋内空間４１２に開口している。
【０１１０】
本変形例の構成を採用した場合においても、二重折板屋根構造４２０の内部空間４２６に含まれている水分を、結露する前の水蒸気の状態で、パイプ４４０の周壁部４４０ａに形成された複数の小孔４４０ａ１を介してパイプ内空間４４０ｂに導いて、このパイプ内空間４４０ｂを上記所要方向に搬送し、その端部が連通している面戸４３６の貫通孔４３６ａから二重折板屋根構造４２０の外部空間へ排出することができる。
【０１１１】
したがって、二重折板屋根構造４２０の内部空間４２６が著しく冷やされたような場合であっても、内部空間４２６に含まれている水分によって断熱材２８に結露現象が発生してしまうのを未然に防止することが可能となり、これにより断熱材２８の断熱性能が低下してしまうのを未然に防止することが可能となる。
【０１１２】
しかも本変形例においては、外部パイプ４５０の配置によって、二重折板屋根構造４２０の内部空間４２６が建屋４１０の屋外空間と連通することなく低温低湿の屋内空間４１２と連通しているので、これにより内部空間４２６を低湿にすることができる。
【０１１３】
なお、上記第４変形例においては、パイプ４４０が上葺折板屋根２２の下底面部２２ｂと断熱材２８との間に配置されているものとして説明したが、下葺折板屋根２４の下底面部２４ｂと断熱材２８との間にパイプ４４０が配置された構成とすることも可能である。
【０１１４】
次に、上記実施形態の第５変形例について説明する。
【０１１５】
図９は、本変形例に係る二重折板屋根構造５２０を示す、図１と同様の図である。
【０１１６】
同図に示すように、本変形例に係る二重折板屋根構造５２０の基本的な構成は上記実施形態の場合と同様であるが、その水上側の端部の構成が上記実施形態の場合と異なっている。
【０１１７】
すなわち本変形例においては、内部空間５２６の水上側の端部に、上記実施形態の場合のような内部空間５２６を塞ぐ面戸３６が配置されてはいない。
【０１１８】
そして本変形例においては、二重折板屋根構造５２０を備えた建屋５１０の外壁５１４が、内部空間５２６の水上側の端部近傍において二重折板屋根構造５２０のやや上方まで延びるように形成されており、その上端部には水下側へ延びる庇部材５６０が設置されている。
【０１１９】
また、この外壁５１４の上端部近傍には、二重折板屋根構造５２０をその水上側の端部において支持する張出し部５１４ａが、建屋５１０の屋内空間５１２へ向けて張り出すようにして形成されており、この張出し部５１４ａによって二重折板屋根構造５２０の内部空間５２６と建屋５１０の屋内空間５１２とを遮断するようになっている。
【０１２０】
これにより本変形例においては、二重折板屋根構造５２０の水上側の端部と外壁５１４および庇部材５６０との間に、二重折板屋根構造５２０の内部空間５２６と建屋５１０の屋外空間とを連通させるＬ字形の通気路５６２が形成されるようになっている。
【０１２１】
その上で本変形例においては、パイプ４０の水上側の端部が通気路５６２に向けて開口しており、この通気路５６２を介してパイプ内空間４０ｂが建屋５１０の屋外空間に連通するようになっている。
【０１２２】
本変形例の構成を採用することにより、二重折板屋根構造５２０の内部空間５２６に含まれている水分を、結露する前の水蒸気の状態でパイプ４０の周壁部４０ａを介してパイプ内空間４０ｂに導いて、このパイプ内空間４０ｂを上記所要方向に搬送し、その水下側の端部において面戸３６の貫通孔３６ａを介して建屋５１０の屋外空間へ排出するとともに、その水上側の端部において図示矢印のように通気路５６２を介して建屋５１０の屋外空間へ排出することができる。
【０１２３】
したがって、二重折板屋根構造５２０の内部空間５２６が著しく冷やされたような場合であっても、内部空間５２６に含まれている水分によって断熱材２８に結露現象が発生してしまうのを未然に防止することが可能となり、これにより断熱材２８の断熱性能が低下してしまうのを未然に防止することが可能となる。
【０１２４】
次に、上記実施形態の第６変形例について説明する。
【０１２５】
図１０は、本変形例に係る二重折板屋根構造６２０を示す、図１と同様の図である。
【０１２６】
同図に示すように、本変形例に係る二重折板屋根構造６２０は、建屋６１０の外壁６１４の上端部に設置された状態で、その屋内空間６１２を覆う切妻屋根に適用されている。
【０１２７】
すなわち本変形例においては、切妻屋根の棟部分の両側に１対の二重折板屋根構造６２０が配置された構成となっている。
【０１２８】
各二重折板屋根構造６２０の構成は、上記実施形態に係る二重折板屋根構造２０と同様、上葺および下葺折板屋根２２、２４の間に位置する内部空間６２６に断熱材２８が配置された構成となっているが、その水上側の端部に上記実施形態のような面戸３６が配置されてはいない。
【０１２９】
そして本変形例においては、１対の二重折板屋根構造６２０の水上側の端部がその下端縁において突き合わされた状態で接続されており、これにより各二重折板屋根構造６２０の内部空間６２６と建屋６１０の屋内空間６１２とを遮断するようになっている。
【０１３０】
その上で本変形例においては、切妻屋根の棟部分に、１対の二重折板屋根構造６２０の水上側の端部を跨ぐようにして覆う棟カバー部材６６０が設置された構成となっている。
【０１３１】
これにより本変形例においては、各二重折板屋根構造６２０の水上側の端部と棟カバー部材６６０との間に、各二重折板屋根構造６２０の内部空間６２６と建屋６１０の屋外空間とを連通させる略Ｔ字形の通気路６６２が形成されるようになっている。
【０１３２】
本変形例の構成を採用することにより、各二重折板屋根構造６２０の内部空間６２６に含まれている水分を、結露する前の水蒸気の状態でパイプ４０の周壁部４０ａを介してパイプ内空間４０ｂに導いて、このパイプ内空間４０ｂを上記所要方向に搬送し、その水下側の端部において面戸３６の貫通孔３６ａを介して建屋６１０の屋外空間へ排出するとともに、その水上側の端部において図示矢印のように通気路６６２を介して建屋６１０の屋外空間へ排出することができる。
【０１３３】
したがって、各二重折板屋根構造６２０の内部空間６２６が著しく冷やされたような場合であっても、内部空間６２６に含まれている水分によって断熱材２８に結露現象が発生してしまうのを未然に防止することが可能となり、これにより断熱材２８の断熱性能が低下してしまうのを未然に防止することが可能となる。
【０１３４】
なお、上記実施形態およびその変形例において諸元として示した数値は一例にすぎず、これらを適宜異なる値に設定してもよいことはもちろんである。
【０１３５】
また、本願発明は、上記実施形態およびその変形例に記載された構成に限定されるものではなく、これ以外の種々の変更を加えた構成が採用可能である。
【符号の説明】
【０１３６】
１０、４１０、５１０、６１０  建屋
１２、４１２、５１２、６１２  屋内空間
１４、４１４、５１４、６１４  外壁
２０、１２０、２２０、３２０、４２０、５２０、６２０  二重折板屋根構造
２２  上葺折板屋根
２２ａ、２４ａ  上底面部
２２ｂ、２４ｂ  下底面部
２２ｃ、２４ｃ  吊子
２４  下葺折板屋根
２６、１２６、２２６、３２６、４２６、５２６、６２６  内部空間
２８  断熱材
３０  構造材
３２  タイトフレーム
３４  断熱金具
３６、１３６、４３６  面戸
３６ａ、１３６ａ、４３６ａ  貫通孔
３６ｂ、４３６ｂ  ボス部
４０、１４０、２４０、３４０、４４０  パイプ
４０ａ、１４０ａ、２４０ａ、３４０ａ、４４０ａ  周壁部
４０ａ１、１４０ａ１、４４０ａ１  小孔
４０ｂ、１４０ｂ、２４０ｂ、３４０ｂ、４４０ｂ  パイプ内空間
１２６ａ、４２６ａ  空隙
３４２  短尺パイプ
３４２ａ  小径部
４５０  外部パイプ
５１４ａ  張出し部
５６０  庇部材
５６２、６６２  通気路
６６０  棟カバー部材
【図１】
2019007251.tif 000003
【図２】
2019007251.tif 000004
【図３】
2019007251.tif 000005
【図４】
2019007251.tif 000006
【図５】
2019007251.tif 000007
【図６】
2019007251.tif 000008
【図７】
2019007251.tif 000009
【図８】
2019007251.tif 000010
【図９】
2019007251.tif 000011
【図１０】
2019007251.tif 000012